(57)【要約】【課題】錠前のシリンダを回動する鍵を完全に鍵回動カバー内に収納し、開閉蓋の回動盤を回動することにより鍵を回動する、ピッキング対策用の鍵回動カバーを提供する。【解決手段】鍵回動カバーは、底面に鍵穴３をあけたドラム２を枠１の内側適宜位置に枢着し、回動盤５を枢着した開閉蓋４の一方を、回動盤５とドラム２が重合する位置に開閉自在に軸着し、ドラム２が回動盤５の回動と連動し、開閉蓋４の作動とドラムストッパー６が連動する。【選択図】    図１
2005232940.tif 000002
【特許請求の範囲】
【請求項１】
底面に鍵穴３をあけたドラム２を枠１の内側適宜位置に枢着し、回動盤５を枢着した開閉蓋４の一方を、回動盤５とドラム２が重合する位置に開閉自在に軸着し、ドラム２が回動盤５の回動と連動し、開閉蓋４の作動とドラムストッパー６が連動することを特徴とする鍵回動カバー。
【発明の詳細な説明】
【技術分野】
【０００１】  本発明は、ドア用錠前の鍵を回動する鍵カバーに関する。
【背景技術】
【０００２】  従来、ドアの錠前シリンダーの鍵穴面は表面に露出していて、施錠及び解錠のときは、そのシリンダーの鍵穴に鍵を差し込んで操作していた。
【発明の開示】
【発明が解決しようとする課題】
【０００３】  ところが、上記錠前シリンダーの鍵穴面は露出しているため、周囲は解放状態であり、自由な手さばきで特殊工具によるピッキング操作で解錠され、窃盗などの被害に遭う人も多かった。【０００４】  ピッキングによる防犯対策として、錠前を増設したり、防犯性能の高い錠前に交換するなどの対策がとられていた。又、暗証番号によるプッシュ式や、リモコン操作、電気錠システムなどの遠隔操作による施解錠システムなどがあるが、暗証番号のプッシュ式は暗証番号を盗み取られる可能性があり、リモコン操作は電池の交換が必要なため面倒であった。電気錠システムは電気工事が必要で高価であるなど、まだ彫込箱錠が主流である。【０００５】  本発明は、斯かる事情に鑑みてなされたもので、従来の前記問題を一挙に解決することが出来る鍵回動カバーを提供することを目的とする。
【課題を解決するための手段】
【０００６】  前記目的を達成するために、本発明は底面に鍵穴をあけたドラムを枠の内側適宜位置に枢着し、回動盤を枢着した開閉蓋の一方を、回動盤とドラムが重合する位置に開閉自在に軸着し、ドラムが回動盤の回動と連動し、開閉蓋の作動とドラムストッパーが連動することを特徴とする。【０００７】  この特徴によれば、回動ドラム底面にあけた鍵穴を錠前シリンダーの鍵穴上面に合わせてドアに固定することにより、錠前シリンダーにドラム鍵穴より差し込んだ鍵は、鍵回動カバーの開閉蓋を閉め、回動盤の操作によらなければ回動出来ない。
【発明の効果】
【０００８】  以上のように、本発明によればドアの錠前を施解錠するときは、鍵回動カバーの開閉蓋を開いて、ドラム底面の鍵穴より鍵を錠前シリンダーの鍵穴に差し込まなければならない。このとき、蓋の開き作動と連動してドラムストッパーが軸を介して作動し、ドラムがロックされた状態になっている。【０００９】  ドラム底面の鍵穴は、鍵の厚さと巾とほぼ同じサイズに穿孔されている。つまり直径又は一辺が鍵巾以下であるため、開閉蓋を開いたまま鍵を回動させようとしても鍵巾面がドラム底面の鍵穴に当り回動しない。【００１０】  開閉蓋が開いているときはドラムがロックされ、開閉蓋が閉の状態になるとロックが解除される。このため、ピッキングによる解錠は、蓋を開いた状態でなければ作業が出来ない。つまりドラムがロックされた状態での特殊工具の操作であり、このとき特殊工具の巾がドラム鍵穴に当り、錠前のシリンダー回動は不可能である。【００１１】  この様に鍵回動カバーをつけることにより、２個の錠前を付ける必要もなく、又、防犯性能の高い高価な錠前をつける必要もなく、安全で安心なドアを提供することが出来る。【００１２】  尚、本発明の「底面」とは取付けた状態のドア面側を言い、反対側を「上面」としている。
【発明を実施するための最良の形態】
【００１３】  本発明の実施の形態を添付図面に例示した本発明の実施例に基づいて以下に具体的に説明する。【００１４】  添付図面において、図１は本発明の一実施例に係る鍵回動カバーの一例を示す一部を破断した側面図、図２は開閉蓋を開いた状態の一部破断した正面図、図３はドラムストッパーの作動前の詳細を示す断面図、図４はドラムストッパーの作動後の詳細を示す断面図、図５は非常用のドラムストッパーを示す断面図、図６は他例を示す一部を破断した側面図、図７は図６の一部を破断した正面図、図８は図６の非常用のドラムストッパーを示す破断面図、図９は図２にレバーハンドルを装着した状態を示す正面図である。【００１５】  先ず、図１〜図５において、枠１の上面とドラム２の上面が面一となるようにドラム２を枠１に枢着し、回動盤５がドラム２と重合される位置に、回動盤５を枢着した開閉蓋４を開閉自在に軸着している。【００１６】  枠１の上面には開閉蓋４の位置を限定する枠突条９が突出し、ドラム２の上面には回動盤５と連動するためのドラム突条１０が突出し、開閉蓋４と回動盤５の裏面には枠突条９とドラム突条１０にそれぞれ対応する切削溝８が形成されている。【００１７】  開閉蓋４に固着された軸７の端部は、切削形状が弓形であるように切削し、その切削面にドラムストッパー６を着接すると共に作動可能に軸１１で係止している。【００１８】  ドラムストッパー６はドラムストッパー用スプリングコイル１２により常にドラム２の回動可能位置の方向に力が働いている。又、ドラム２の側面にはドラムストッパー６と対応するドラムストッパー凹部１３が形成されている。【００１９】  開閉蓋４を開くと開閉蓋４に固着された軸７が回り、軸７の切削面の角が着接しているドラムストッパー６を摺動し、ドラムストッパー６がドラム２の側面に施したドラムストッパー凹部１３と嵌合し、ドラム２は回動不可能となる。【００２０】  又、開閉蓋４の破壊時の非常ロックとして枠１の内側面にドラム２の回動を抑止する補助ロックピン１４が内設されている。この補助ロックピン１４はロックピン押圧スプリングコイル１５に常に押圧されている。【００２１】  この補助ロックピン１４は上部にロックピン抑え軸１６と対応する孔を有している。この孔とロックピン抑え軸１６の一方は嵌合し、補助ロックピン１４に働いている力を抑止している。【００２２】  ロックピン抑え軸１６には補助ロックピン１４により上方への力が働いている。この上方への力を開閉蓋４が抑止している。この機構により開閉蓋４を破壊するとロックピン抑え軸１６が跳ね上り、補助ロックピン１４が非常ピン凹部に嵌合しドラム２の回動を不可能とする。【００２３】  この補助ロックピン１４が作動すると、ロックピン押圧スプリングコイル１５で押されているため、穴孔が細いのと深さが相俟って、外部からの操作解除は出来ない。【００２４】  次に図６〜図８も併せて参照して、他の一例を説明する。【００２５】  この鍵回動カバーの開閉蓋４は、ドアｄに垂直方向に開く機構となっている。ドラムストッパー６は、回動盤５の略中心部より開閉蓋４の軸７方向へ延長した線上の、開閉蓋４の端部に固定された係止具２１にドラムストッパー軸１１で軸支されている。こ���ため開閉蓋４を開くとドラムストッパー６は押され、らドラム２の突設部（図示せず）に嵌合する。【００２６】  非常用のロックピン１４は外管２０に挿入されていて、ロックピン１４はロックピン抑え軸１６に抑止されている。ロックピン抑え軸１６は軸７の開閉蓋４の下部をＲ状に加工した位置に接し、常にロックピン抑え軸１６の上方向への力を抑止している。【００２７】  以上の構造であるから、開閉蓋４の開閉にドラムストッパー６が連動しドラム２の回動を操作し、又、開閉蓋４を破壊するとロックピン抑え軸１６が跳ね上りロックピン１４がドラム２の側面に施した非常ピン凹部１７と嵌合し、ドラム２の回動をロックする。【００２８】  又、図９は図２にハンドル２２を装着したもので、このハンドル２２のハンドル軸２３はラッチボルト（図示せず）と連動する。この様に、鍵回動カバーとレバーハンドル２２を一体化すると均整のとれた色々なデザインが出来る。
【図面の簡単な説明】
【００２９】
【図１】本発明の一部を破断した側面図
【図２】本発明の開閉蓋を開いた状態の一部を破断した正面図
【図３】本発明のドラムストッパーの作動前の詳細を示す断面図
【図４】前記ドラムストッパーの作動後の詳細を示す断面図
【図５】本発明の非常用ドラムストッパーを示す断面図
【図６】本発明の他例を示す一部を破断した側面図
【図７】前記の一部を破断した正面図
【図８】図６の非常用のドラムストッパーを示す破断面図
【図９】図２にレバーハンドルを装着した状態を示す正面図
【符号の説明】
【００３０】  １．．．．．枠
２．．．．．ドラム
３．．．．．鍵穴
４．．．．．開閉蓋
５．．．．．回動盤
６．．．．．ドラムストッパー
７．．．．．軸
８．．．．．切削溝
９．．．．．枠突条
１０．．．．．ドラム突条
１１．．．．．ドラムストッパー軸
１２．．．．．ドラムストッパー用スプリングコイル
１３．．．．．ドラムストッパー凹部
１４．．．．．補助ロックピン
１５．．．．．ロックピン押圧スプリングコイル
１６．．．．．ロックピン抑え軸
１７．．．．．非常ピン凹部
１８．．．．．摘み
１９．．．．．回動球
２０．．．．．外管
２１．．．．．係止具
２２．．．．．ハンドル
２３．．．．．ハンドル軸
ｄ．．．．．ドア
ｋ．．．．．錠前シリンダー
【図１】
2005232940.tif 000003
【図２】
2005232940.tif 000004
【図３】
2005232940.tif 000005
【図４】
2005232940.tif 000006
【図５】
2005232940.tif 000007
【図６】
2005232940.tif 000008
【図７】
2005232940.tif 000009
【図８】
2005232940.tif 000010
【図９】
2005232940.tif 000011